(57)【特許請求の範囲】
【請求項１】
カードに情報を記録する装置であって、
装置ハウジングと、
前記装置ハウジング内に設けられ、カードに情報を記録する情報記録部と、
前記装置ハウジングに着脱可能に装着され、前記情報記録部にカードを供給するカードカセットと、
前記装置ハウジングに配置され、前記カードカセットからカードを繰り出すピックアップローラと、
前記カードカセットに収納されたカードを１枚ずつ分離する分離手段と、
を備え、
前記カードカセットは、
カセット筐体と、
前記カセット筐体内部に設けられ、複数のカードを立位姿勢で操出方向前後に整列して収納するカード収納部と、
前記カード収容部に収容された最前列のカードを前記情報記録部に向けて給送する給紙開口と、
前記カード収容部に収容された最後列のカード背面を支持するサポート部材と、
前記サポート部材をカードの操出方向に付勢する付勢手段と、
から構成され、
前記カード収容部には、カードを立位姿勢で載置するカード載置面と、最前列のカードを前傾姿勢で係止する傾斜面を有するカード係止面と、が設けられ、
前記カード載置面は、前記装置ハウジングのカードカセット支持面に対して、カードの操出方向に向かって漸次低くなる傾斜面又は段階的に低くなる段差面で構成され、
前記カードカセットは、カードを前記カードカセットから前記装置ハウジング側に供給するカード供給方向と略同一方向に着脱可能に構成された、
ことを特徴とする情報記録装置。
【請求項２】
前記カセット筐体には、前記カード収納部の最前列のカード表面に前記ピックアップ手段を係合させるピッカー開口が設けられ、前記カード係止面とピッカー開口と給紙開口部とは、この順にカード給送方向に配置されていることを特徴とする請求項１に記載の情報記録装置。
【請求項３】
前記装置ハウジングには、前記カードカセットを装着するカセット装着開口が設けられ、このカセット装着開口は、カードカセットのカード搬出方向と略同一方向に、装着及び離脱可能に構成されていることを特徴とする請求項１に記載の情報記録装置。
【請求項４】
前記カード載置面は、操出方向にカードを前傾させる高低差を有することを特徴とする請求項１に記載の情報記録装置。
【請求項５】
前記カード載置面は、操出方向に漸次低くなる傾斜面又は操出方向に段階的に低くなる段差面で構成されていることを特徴とする請求項４に記載の情報記録装置。
【請求項６】
前記分離手段は、前記カードカセットに設けられたカードを分離する分離ギャップで構成されていることを特徴とする請求項１に記載の情報記録装置。
【請求項７】
前記情報記録部は、前記装置ハウジングに水平方向に配置されたカード搬送経路に配置され、
前記カードカセットは情報記録部の上方に配置され、
前記カード搬送経路には、前記カード収容部から傾斜した立位姿勢で繰り出されるカードを姿勢偏向する反転ユニットが設けられていることを特徴とする請求項１に記載の情報記録装置。
【発明の詳細な説明】
【技術分野】
【０００１】
本発明は、プラスチックカード、厚紙カードなどのカード収納カセットに係わり、印字、画像、磁気情報、ＩＣ情報を記録する情報記録装置に大量のカードを簡単に装着及び取外すことが可能なカード収納構造の改良に関する。
【０００２】
一般に、カードに情報記録する情報記録装置は、カードプリンタ、磁気記録装置、ＩＣ記録装置など用途に応じて多用の記録装置が知られている。これらの装置には、カード供給部が設けられ、収納スタッカに収納したカードを１枚ずつ記録処理するようにしている。
【０００３】
例えば特許文献１には、カード供給スタッカから装置内にカードを１枚ずつ給送し、このカードの表裏面に画像データを印刷する装置が開示されている。そしてカード供給部にはホッパが設けられ、このホッパに積層状に複数のカードを積層状に積み重ねて収納している。このようにカードを上下に積み重ねて収納するホッパ装置はカード取扱い装置では広く知られている。そして同文献に開示されているように積層状に積み重ねたカードを最下層から１枚ずつ積載方向と直交する水平方向に繰り出して処理している。
【０００４】
このようなカード収納方法では収納容量を大きくすると、ホッパ部が上下方向に大型となるのに対して、記録部は水平方向に配置されている。これはカードを水平姿勢で積載収納し、このカードを水平方向に引き出して画像形成などの処理をする関係からレイアウトされている。
【０００５】
一方、特許文献２には、複数のカードを立てた姿勢で前後に整列収納し、最前列のカードから装置内に繰り出す装置が開示されている。同文献には装置底部にボックス形状のカセットを装着し、その最前列のカードをピックアップローラで
繰り出す装置が開示されている。
【先行技術文献】
【特許文献】
【０００６】
【特許文献１】特開２００５−１８６４９５号公報（図１）
【特許文献２】特許第３６２５２０６号公報（図１）
【発明の概要】
【発明が解決しようとする課題】
【０００７】
上述のように複数のカードを収納して、これを１枚ずつ記録処理する装置では、複数のカードを上下に積層状に収容している。このためカードの収納量が限られる問題がある。これは例えば水平姿勢で上下に積載収納したカードを水平方向に繰り出して画像形成、磁気記憶などの情報を記録処理しているため、装置にデッドスペースが生じて大型化するため、カードの収納容量を比較的少なくしている。
【０００８】
一方、各種証明用のカード（ＩＤカードなど）或いは商取引用のカード（クレジットカードなど）は、その管理が重要となり、例えば装置不使用時には未使用のカード（ブランクカード）を装置から取り外して保管庫に収容する必要がある。これは、証明用カードとしてロゴなどが印刷されているとき、或いは商取引カードとして磁気、ＩＣ情報が既に記録されているときにはその保管を厳重にするためである。
【０００９】
このような、複数のカードを使用の都度、装置に着脱する場合には、大容量のカード保管と同時に着脱時にカードが散乱しない配慮が必要となる。そこで引用文献２には、複数のカードを立てた状態（立位姿勢）で収納して大容量化を図ることが提案されている。ところが同文献のカードカセットは収納ボックスに鉛直姿勢で前後に整列収容し、最後列のカードをサポート部材で操出方向に付勢している。
【００１０】
従って従来知られている立位姿勢のカード収納は、カードの補充或いは交換時にサポート部材をカードから引き離すと図７に示すようにカードが転倒（もしくは、カードが図中左側に転倒）する問題が生ずる。このカード転倒は給紙部でカードがジャムしたとき、そのジャム処理のため最前列のジャムカードを取り除くときにも同様の問題が生ずる。
【００１１】
そこで本発明者は、カードを収納カセットに所定角度前傾した状態で収容するとの着想に至った。そしてこの角度を通常使用する机、テーブルなどの設置角度から容易に転倒しない角度に設定する。これによって使用者がカード補充する際、或いはジャムカードを取り除く際にサポート部材をカードから引き離してもカードが転倒することがなくその作業が容易となる。
【００１２】
本発明は、給紙部に複数のカードを収納する際に、大容量のカード収納が可能であると共に、カードの補充作業と不良カードの除去作業が容易である情報記録装置の提供をその課題としている。
【課題を解決するための手段】
【００１３】
上記課題を達成するため、本発明は、装置ハウジングにカードに情報を記録する情報記録部と、情報記録部にカードを供給する着脱自在のカードカセットとを設け、このカードカセットを、複数のカードを立位姿勢で操出方向前後に整列して収納するカード収納部と、この収納部にカードを立位姿勢で載置するカード載置面と、最前列のカードと係合するカード係止面を設け、このカード係止面にはカードを前傾姿勢で係止する傾斜面を形成する。そして最前列のカードが前傾姿勢でカード係止面に係合するように最後列のカード背面をサポート部材で付勢する。そして、前記カード収容部には、カードを立位姿勢で載置するカード載置面と、最前列のカードを前傾姿勢で係止する傾斜面を有するカード係止面と、が設けられ、前記カード載置面は、前記装置ハウジングのカードカセット支持面に対して、カードの操出方向に向かって漸次低くなる傾斜面又は段階的に低くなる段差面で構成され、前記カードカセットは、カードを前記カードカセットから前記装置ハウジング側に供給するカード供給方向と略同一方向に着脱可能に構成された、ことを特徴としている。
【００１４】
装置ハウジングと、カードに情報を記録する情報記録部と、情報記録部にカードを供給するカードカセットと、カードカセットからカードを繰り出すピックアップローラと、カードカセットに収納されたカードを１枚ずつ分離する分離手段とを備える。
上記カードカセットは、カセット筐体と、その内部に設けられ複数のカードを立位姿勢で操出方向前後に整列して収納するカード収納部と、最前列のカードを上記情報記録部に向けて給送する給紙開口と、最後列のカード背面を支持するサポート部材と、これをカードの操出方向に付勢する付勢手段とから構成する。
そして上記カード収容部には、カードを立位姿勢で載置するカード載置面と、最前列のカードと係合するカード係止面と、を設け、このカード載置面には操出方向にカードを前傾させる高低差を、カード係止面にはカードを前傾姿勢で係止する傾斜面を備える。
【００１５】
上記カセット筐体には、カード収納部の最前列のカード表面にピックアップ手段を係合させるピッカー開口を設け、上記カード係止面とピッカー開口と給紙開口部とは、この順にカード給送方向に配置する。
【発明の効果】
【００１６】
本発明は、カード収納部を複数のカードを立位姿勢で操出方向前後に整列して収納するように構成し、その最前列のカードと係合するカード係止面にカードを前傾姿勢で係止する傾斜面を設けたものであるから以下の効果を奏する。
【００１７】
本発明は、カード収納部を複数のカードを立位姿勢で操出方向前後に整列して収納するように構成し、最前列のカードを給紙開口から情報記録装置内部に供給するように構成したので、従来のカードを水平姿勢で上下に積層収納して水平方向に配置した記録部で記録する場合に比べ、大容量のカードを収納することが出来る。
【００１８】
これと共に、最前列のカードと係合するカード係止面にカードを前傾姿勢で係止する傾斜面を設けているので、カード収納部に収納されたカードは前傾姿勢で収容部に支持されることとなる。このため、カードの補充作業の時、或いは最前列のカードがジャムしたときこれを取り出す作業の時、収納されているカードが倒れて乱れる恐れが少なく、その作業が容易である。
【図面の簡単な説明】
【００１９】
【図１】本発明に係わる情報記録装置の一実施形態を示す説明図。
【図２】図１の装置におけるカードカセットの全体構成を示す斜視図。
【図３】図２のカードカセットの説明図であり、（ａ）は縦断面図を示し、（ｂ）はカード載置面の拡大図であり、（ｃ）はカード載置面を傾斜面で構成した場合を示す。
【図４】図２の装置の底面図。
【図５】図２の装置の上面図。
【図６】図１の情報記録装置の制御構成を示す説明図。
【図７】従来のカードカセットの説明図。
【図８】カードカセットを装置から取り外した状態を示した図。
【発明を実施するための形態】
【００２０】
以下図示の好適な実施の形態に基づいて本発明を詳述する。図１は本発明に係わる情報記録装置１の全体構成の説明図である。図１の装置は各種証明用のＩＤカード、商取引用のクレジットカードなどに情報を記録する。このため装置ハウジング２には情報記録部Ａとカード供給部Ｃが備えられる。情報記録部Ａは磁気記録部Ａ１と、ＩＣ記録部Ａ２と画像情報記録部Ａ３で構成されている。この情報記録部Ａは装置仕様に応じて種々の記録部、例えばバーコード記録部などで構成する。
【００２１】
上記カード供給部Ｃは、複数枚のカードを収納するカセットで構成する。このカセットは例えば装置ハウジング２にホッパ状のカセットを設けるか、装置ハウジングから分離したカードカセット３で構成する。
【００２２】
図８はカードカセット３を装置ハウジング２から取り外した状態を示している。例えば、従来のようにカードカセットをカード供給方向と直行する方向に引き出す構成では、カード供給部でカードジャムを起こしたときにカードカセットを引き出すことができず、ジャム解除が困難であった。しかし、本実施形態ではカードカセット３を不図示の取っ手で引き上げることにより上方向（後述するカード供給方向と略同一方向）に着脱可能に構成されているため、供給部でカードジャムを起こしたときにカードカセット３を取り外してジャム解除が可能になる。
なお、本実施形態ではカード供給方向は傾斜しているが、カードカセット３の着脱方向は斜めである必要はなく、装置ハウジング２に対して上方向に引き上げられる構成であればよい。
【００２３】
［カード供給部］
図１の装置におけるカード供給部Ｃの構成について説明する。図１の装置はカード供給部Ｃをカードカセット３で構成している。カードカセット３は、図２に示すようにボックス形状のカセット筐体３ａ（以下「筐体」という）と、この筐体内に設けられたカード収容部４で構成される。このカード収納部４は、複数のカードを立位姿勢で整列して収納可能なカード寸法に適合する収容スペースで構成されている。このカード収納部４には図示上方にカードを出し入れする開口部４ａが設けられ、この開口部を開閉する開閉カバー（開閉蓋）３ｂがヒンジ連結されている。
【００２４】
上記カード収納部４は、図２及び図３に示すように一端（図示左端）から他端（右端）にカードを前後に整列して立位姿勢で収納するスペース形状に構成されている。このスペースにはカードを立位姿勢で載置するカード載置面５と、最前列のカードを係止するカード係止面６が設けられている。
【００２５】
上記カード載置面５とカード係止面６はカードを前傾姿勢で保持する。このためカード載置面５は操出方向（矢示Ｘ方向）に高低差Δｄを有する傾斜面５ａか、若しくは段差面５ｂで構成されている。また、カード係止面６はカードを前傾姿勢で係止する傾斜面６ａで形成されている。繰出方向とは、言い換えるとカード集積方向でカード係止面６に向かう方向である。
【００２６】
本実施形態のように、カード載置面を操出方向に段階的に低くなる複数の段差面で構成することによって、これに立位姿勢で載置されるカード下端縁が段差部で係止され前傾姿勢方向に倒れることがない。これによってカードカセット３を取り外してカードを補充する際にカードが倒れないので補充作業が容易になる。
【００２７】
図３（ａ）はカード収容部４の構成図であり、同図（ｂ）はカード載置面５を段差面５ｂで構成する場合を、同図（ｃ）は傾斜面５ａで構成する場合を示し、いずれも操出方向Ｘに低くなる高低差Δｄが形成され、カード係止面６の傾斜面６ａは、高低差Δｄと適合する角度θに形成されている。
【００２８】
なお、図示しないがカード係止面６は必ずしも平面で構成する必要はなく、カード前面を前傾姿勢で係止する突起で構成しても良い。この場合にはカード上方と当接する突起とカード下方と当接する突起に高低差を設ける。
【００２９】
上記カード収納部４には、給紙開口７が操出方向先端部に設けてある。この給紙開口７は最前列のカードを筐体外部に搬出可能な開口で構成されている。そして図３に示すようにカード係止面６に前傾姿勢で係止された最前列のカードを筐体３ａの底部から外部に搬出するスリット形状に形成されている。この給紙開口７は図４に示すようなカード厚さに適合するスリット厚さ（ｄ）と幅（ｅ）を有し、最前列のカードのみが通過可能なスリット厚さ（ｄ）に形成されている。この給紙開口７で後述するピックアップローラ１９でカードを繰り出す際に一枚ずつ分離する分離手段を構成している。
【００３０】
図示の装置はこの給紙開口７でカードを分離するのと同時に図４に示すようにカード両端部（中央１個所でも良い）に分離パッド８ａ、８ｂと、アイドルコロ９が対向配置されている。そして分離パッド８ａ（８ｂ）はゴムなどの高摩擦係数の弾性部材で形成され、アイドルコロ９との間でカードを分離する。つまり上述のスリット厚さ（ｄ）を通過した２枚以上のカードをこの摩擦パッド８ａ、８ｂで分離する。これと共にスリット厚さ（ｄ）は収納するカードの厚さに応じて調整可能に構成されている。なお、カードカセット３を装置から外したときに、この分離パッド８ａ、８ｂがカードを抑えることにより、カードが給紙開口７から飛び出さない。
【００３１】
図示の調整機構は、図４に示すようにスリット厚さ（ｄ）は、偏心カム１０で形成され、このカム表面１０ａは徐々に図示厚スリットさ（ｄ）を変更可能に形成され、調整ツマミ１０ｂで回転角度を設定するようになっている。
【００３２】
上記カード収納部４には、最前列のカード表面に後述するピックアップ手段１９を係合させるピッカー開口１１が設けられている。このピッカー開口１１は、最前列のカードを給紙開口７から繰り出すため、後述するピックアップローラ１９を最前列のカードに係合させる開口として形成されている。このピッカー開口１１は上述したカード係止面６と給紙開口７との間に配置され、カード給送方向Ｙ（図３矢示）に沿ってカード係止面６、ピッカー開口１１、給紙開口７の順に配置されている。
【００３３】
このように前傾姿勢でカードを支持するカード係止面６に対して、ピッカー開口１１と給紙開口７を配置することによって図３に示すような三角形状のスペースＡｒが形成される。このスペース内に後述するピックアップローラ１９を配置することによって装置の省スペース化が可能となる。
【００３４】
上記カード収納部４には、図３に示すように、カード収容部４に収容された最後列のカード背面を支持するサポート部材１２が設けられている。このサポート部材１２は、プレート部材、ブロック部材などカードの背面を押圧支持する部材で構成され、立位姿勢で整列収容されているカードを操出方向Ｘに繰り出す。図示の装置は図１及び図５に示すようにサポート部材１２は筐体３ａの内側壁に形成されたガイド溝１３に操出方向Ｘにスライド可能に支持されている。このサポート部材１２には操作ノブ１４が一体形成され、このノブを操作することによってカードを支持する作動位置と、これから退避した退避位置との間でサポート部材１２は移動可能となる。
【００３５】
上記サポート部材１２には、これをカードの操出方向に付勢する付勢手段１５が設けられている。図示の付勢手段１５はスプリングで構成され、スプリングの一端１５ａが筐体３ａに固定され、他端１５ｂがサポート部材１２に固定されている。図示１５ＰはスプリングをＵターン状に支持するプーリである。そして付勢手段１５は図５に示すように筐体３ａの側面部に配置されている。
なお、サポート部材１２の上部にはカードとの間に隙間を作るようにテーパ面１２ｘが設けられている。よって、少数のカードを補充する場合はサポート部材１２がカードを押圧している状態でテーパ面にカードを挿入することで補充することができ、操作ノブ１４でサポート部材１２を移動させる必要がない。
【００３６】
また、上記操作ノブ１４はサポート部材１２に揺動可能なヒンジ連結され、この装置の部材を図５に示すラッチ溝１６に係止するようになっている。このラッチ溝１６に係止することによってサポート部材１２を退避位置に保持する。このラッチ溝１６に係止された操作ノブ１４は図２破線状態となって開閉カバー３ｂの閉蓋を阻止する。これによってサポート部材１２が退避位置に係止された状態では開閉カバー３ｂの閉鎖を阻止し、サポート部材１２が作動状態のときのみ開閉カバー３ｂを閉じることが出来る。
【００３７】
なお、図３に示す１９はピックアップローラであり、９は分離ギャップを形成する分離ローラ（アイドルコロ）である。図示２２は搬入ローラであり、給紙開口７から繰り出されたカードを下流側に搬送する。図示Ｒｃはこの搬入ローラ２２に圧接したクリーニングローラであり、搬入ローラ２２に付着したゴミを除去する。
なお、搬入ローラ２２に粘着性を持たせ、クリーニングローラＲｃは更に強い粘着性を持たせるようにして、搬入ローラ２２がカードからゴミを除去し、クリーニングローラＲｃが搬入ローラ２２のゴミを更に除去するようにしてもよい。
そしてカードカセット３の下流側には、反転ユニットＦが配置され、この反転ユニットはカードカセット３から送られたカードを所定角度方向に旋回可能に構成されている。
【００３８】
［情報記録部の構成］
図１に基づいて情報記録部Ａの構成を説明する。カードカセット３から送られたカード（記録媒体；以下同様）は搬入ローラ２２から反転ユニットＦに送られる。反転ユニットＦは装置フレーム（不図示）に旋回動可能に軸受け支持されたユニットフレームと、このフレームに支持された一対、或いは複数のローラ対で構成される。
【００３９】
図示のものは距離を隔てて前後に配置された２つのローラ対２０、２１をユニットフレームに回転自在に軸支持されている。そしてユニットフレームは旋回モータ（パルスモータなど）で所定角度方向に旋回動し、これに取付けられているローラ対は搬送モータで正逆転方向に回転するように構成されている。この駆動機構は図示しないが、例えば１つのパルスモータでユニットフレームの旋回動と、ローラ対の回転をクラッチで切り換えるように構成する。
【００４０】
従ってカードカセット３に準備されたカードはピックアップローラ１９によって繰出され、偏心カム１０と分離ローラ９によって形成された分離ギャップで１枚ずつ分離され下流側の反転ユニットＦに送られる。そして反転ユニットＦはカードをローラ対２０、２１でユニット内に搬入し、ローラ対でニップした状態で所定角度方向に姿勢偏向することとなる。
【００４１】
上記反転ユニットＦの旋回方向外周には、磁気記録ユニット２４と、非接触式ＩＣ記録ユニット２３及び接触式ＩＣ記録ユニット２７と、リジェクトスタッカ２５が配置されている。尚図示２８はバーコードリーダであり、例えば後述する画像形成部Ｂで印刷したバーコードを読み取って正誤判別（エラー判別）するためのユニットである。以下これらの記録ユニットをデータ記録ユニットという。
【００４２】
従って反転ユニットＦで所定の角度方向に姿勢偏向されたカードをローラ対２０、２１で記録ユニットに移送すると、カード上に磁気的若しくは電気的にデータ入力することが可能となる。またこれらのデータ入力ユニットで記録ミスが生じた場合にはリジェクトスタッカ２５に搬出する。
【００４３】
上記反転ユニットＦの下流側には画像形成部Ｂが設けられ、この画像形成部Ｂにカードカセット３からカードを移送する搬入経路Ｐ１が設けられ、この経路Ｐ１に前述の反転ユニットＦが配置されている。また、搬入経路Ｐ１にはカードを搬送する搬送ローラ（ベルトでも良い）２９、３０が配置され、図示しない搬送モータに連結されている。この搬送ローラ２９、３０は正逆転切り換え可能に構成され、反転ユニットＦから画像形成部Ｂにカードを搬送するのと同時に画像形成部Ｂからカードを反転ユニットＦに搬送するようになっている。
【００４４】
上記画像形成部Ｂの下流側には収容スタッカ６０にカードを移送する搬出経路Ｐ２が設けられている。搬出経路Ｐ２にはカードを搬送する搬送ローラ（ベルトでも良い）３７、３８が配置され、図示しない搬送モータに連結されている。
【００４５】
尚、搬送ローラ３７と搬送ローラ３８の間にはディカールローラ３６が配置され、搬送ローラ３７、３８間に保持されたカード中央部を押圧することによってカール矯正する。このためディカールローラ３６は図示しない昇降機構で図１上下方向に位置移動可能に構成されている。
【００４６】
「画像形成部」
画像形成部Ｂは、カードの表裏面に顔写真、文字データなど画像を形成する。図示の装置は昇華型インクリボンで画像形成する場合を示している。
【００４７】
画像形成部Ｂにはサーマルヘッド４０とインクリボン４１が配置されている。インクリボン４１はカートリッジ４２に収納され、このカートリッジ４２に操出ロール４３と巻取ロール４４が収容され、巻取ロール４４には図示しないワインドモータＭｒ１が連結されている。
【００４８】
そしてプラテンローラ４５に対向する位置にサーマルヘッド４０が配置されている。このサーマルヘッド４０にはヘッドコントロール用ＩＣ７４ｘ（図６参照）が連結され、サーマルヘッド４０を熱制御するようになっている。このヘッドコントロール用ＩＣ７４ｘは画像データに従ってサーマルヘッド４０を加熱制御することによってインクリボン４１を後述する転写フィルム４６に画像形成する。このためサーマルヘッド４０の熱制御と同期して巻取ロール４４が回転し、インクリボン４１を所定速度で巻き取るように構成されている。図示ｆ１はサーマルヘッド４０を冷やす為の冷却ファンである。
【００４９】
上記転写フィルム４６は巻取ロール４７と操出ロール４８に巻回され、この転写フィルム４６はプラテンローラ３１とヒートローラ３３に転写画像を移送するように巻装されている。図示４９は転写フィルム４６の移送ローラであり、その周面にピンチローラ３２ａと３２ｂが配置され、この移送ローラ４９には図示しない駆動モータに連結されている。そして転写フィルム４６は、インクリボン４１と同一速度で図１反時計方向に移動する。
【００５０】
またヒートローラ３３には、搬入経路Ｐ１に配置されているプラテンローラ３１に転写フィルム４６を介して圧接離間するように昇降機構（不図示）が設けられている。このヒートローラ３３は加熱ローラで構成され、内部に配置されている加熱手段で転写フィルム４６上の画像をカード表面に転写する。尚図示Ｓｅ１１はインクリボン４１の位置検出センサであり、図示Ｓｅ１３は転写フィルム４６の有無検出センサである。尚、画像形成部Ｂには装置内に発生した熱を外に出す為のファンｆ２が設けられている。
【００５１】
「収容部」
収容部Ｉは図１に示すように画像形成部Ｂから送られたカードを収容スタッカ６０に収容するように構成されている。この収容スタッカ６０は図示しない昇降機構６１とレベルセンサで、最上カードを検出し、昇降機構６１で図１下側に下降移動するように構成されている。
【００５２】
［制御構成］
図６に本発明に係わる制御構成について説明する。制御部Ｈは、例えば制御ＣＰＵ７０で構成し、このＣＰＵ７０にはＲＯＭ７１とＲＡＭ７２が備えられている。そして制御ＣＰＵ７０には、データ入力制御部７３と、画像形成制御部７４と、カード搬送制御部７５が構成されている。
そしてカード搬送制御部７５は搬入経路Ｐ１と搬出経路Ｐ２に配置されているカード搬送手段（図１に示す搬送ローラ対）を制御するように図示しない駆動モータのドライブ回路にコマンド信号を送信する。このカード搬送制御部７５は反転ユニットＦの旋回モータのドライブ回路にコマンド信号を送信する。
【００５３】
上記カード搬送制御部７５には、センサＳｅ１〜Ｓｅ１０の状態信号を受信するようにそれぞれのセンサと電気的に接続されている。これと共にデータ入力制御部７３からジョブ信号を受信するように接続されている。
【００５４】
上記データ入力制御部７３は、磁気記録部Ａ１に内蔵されているデータＲ／Ｗ用のＩＣ７３ｘに入力データの送受信を制御するコマンド信号を送信し、同様にＩＣ記録部Ａ２のデータＲ／Ｗ用のＩＣ７３ｙにコマンド信号を送信するように構成されている。上記画像形成制御部７４は、画像形成部Ｂでカードの表裏面への画像形成を制御する。
【００５５】
そして上記ＲＡＭ７２には、データ入力部（磁気・ＩＣ記録部）でカード上にデータ入力する処理時間が、例えばデータテーブルに記憶されている。
【００５６】
そして、カード搬送制御部７５には監視手段と判断手段が設けられ、いずれも制御ＣＰＵ７０の制御プログラムに組み込まれている。この監視手段は、各センサの状態信号と、データ入力制御部７３のジョブ信号を受信して、装置内に存在するカードの搬送状態を監視するように構成されている。
【符号の説明】
【００５７】
３          カードカセット
３ａ        カセット筺体（筺体）
３ｂ        開閉カバー
４          カード収納部
５          カード載置面
５ａ        傾斜面
５ｂ        段差面
６          カード係止面
７          給紙開口（分離手段）
８ａ        分離パッド
８ｂ        分離パッド
９          分離ローラ（アイドルコロ）
１０        偏心カム
１２        サポート部材
１２ｘ      テーパ面
１４        操作ノブ
１５        付勢手段（スプリング）
１６        ラッチ溝
１９        ピックアップローラ（供給手段）
２３        非接触式ＩＣ記録ユニット
２４        磁気記録ユニット
２７        接触式ＩＣ記録ユニット
３１        プラテンローラ
３３        ヒートローラ
４０        サーマルヘッド
４１        インクリボン
４６        転写フィルム
７０        制御ＣＰＵ
Ａ          情報記録部
Ｐ１        搬入経路
Ｐ２        搬出経路
Δｄ        高低差
Ｘ          カード繰出方向
Ｙ          カード給送方向
ｄ          スリット厚さ
【図１】
0005850483.tif 000002
【図２】
0005850483.tif 000003
【図３】
0005850483.tif 000004
【図４】
0005850483.tif 000005
【図５】
0005850483.tif 000006
【図６】
0005850483.tif 000007
【図７】
0005850483.tif 000008
【図８】
0005850483.tif 000009